Podtech/llm-jp-corpus-v4-ja_patent huggingface dataset:
(57)【要約】　　　（修正有）【課題】製品に付与されたバーコードをもとに、製品メーカーが使用済製品を処理するために預け入れて置いた費用のデポジット先に、その処理費用を容易に請求できる方法を提供する。【解決手段】製造メーカーは容器、入れ物、製品、コンテナ等に製品メーカー名、製造年月日、処理費用、処理費用のデポジット先が識別できるよう、バーコードを表示する。製造メーカーは消費者あるいは処理業者が製造メーカの製品を使用後ゴミとして処理するために必要な費用をデポジット先に預け入れる。製品が消費され、ゴミとして処理される場合、バーコードから読み取った処理金デポジット先に処理費用を請求する。【選択図】　　　なし【特許請求の範囲】
【請求項１】
・プリペイド方式によるゴミ処理及び資源のリサイクルを促す方法
【請求項２】
・商品及び容器、それらの材質・容量・重量・製造者・製造年月日・処理費
・処理費のデポジット先をバーコードに入れておく。処理費は、製造者あるいは、流通業者がデポジット先に積み立てておき、消費者が商品購入時に商品代に処理費が加わった代金を支払う。すなわち、消費者が処理費を先に支払う。
【請求項３】
・その後、消費され処理が発生した場合、処理機により、以上１〜２を確認した後にデポジット先より処理者に金を支払う。
【発明の詳細な説明】
【０００１】
・商品及び商品の容器が消費の後に不要となり街中に散乱している。これら商品及び容器に、生産時あるいは販売時に処理費を前もって支払わせ、消費の後に適正に処理及びリサイクルを行った場合に、前払いの金が戻るシステム。
すなわち、商品及び容器にバーコードを設け、処理時にバーコードを読み取って、処理費を支払うものです。
例えば、街に散乱する容器等に、以上の様なシステムを設けていた場合、それを拾い集め処理場に持ち込みバーコードを読ませ、処理費を受け取ることが出来、消費者以外の者が処理することも可能となり、街が美しくなる
(57)【要約】【課題】図書館において閲覧室を有効に利用することを目的とするものである。また、予約図書の効率的な運用を目的とするものである。【解決手段】利用者端末１とネットワーク２によって接続されたサーバ３で構成する。サーバでは図書予約情報と閲覧室予約情報を保持する。図書予約時に受取日時を入力し、同時に閲覧室座席を予約する。【効果】閲覧室の予約と予約図書の効率的な運用が可能となるので、利用者は快適なサービスを享受することができる。【選択図】　図１
2004062699.tif 000002
【特許請求の範囲】
【請求項１】
利用者端末と図書館管理サーバとそれらをつなぐネットワークとで構成されるシステムであって、利用者端末は各種要求項目を入力する入力装置と、予約手続き画面や予約状況画面などを表示する出力装置を有し、管理サーバは図書や閲覧室の予約手続きを一括して行うことができるホームページと、図書情報予約状況や利用者予約状況を保持できる記憶装置とを有するシステム。
【発明の詳細な説明】
【０００１】
【発明の属する技術分野】
本発明は、図書館における図書や閲覧室の予約システムに関する。
【０００２】
【従来の技術】
公共図書館や大学図書館においてもインターネットの普及に伴い、パソコン等の利用者端末から図書を予約することができる。このようなシステムでは通常、インターネットで図書館ホームページに接続し、予め登録している利用者が希望する図書情報をネットワークを介して受信し、予約時に予約番号など予約した人間を特定する番号を発行され、当日に図書館窓口で手続きを行う方法がとられており、しかも閲覧室予約との連携されたシステムは、一般には知られていない。
【０００３】
【発明が解決しようとする課題】
従来の予約システムでは閲覧室の予約は不可能であった。図書閲覧以外の利用者が使用することがあり、本来の目的である図書を閲覧する利用者が優先的に利用できていなかった。また、予約図書に関しては、予約しても貸出日時が確定せずに長期間書架に保存される場合があり、効率的に図書を運用することができなかった。
【０００４】
【課題を解決するための手段】
上記課題を解決するために請求項１に記載した予約システムでは、利用者端末と図書館管理サーバとそれらをつなぐネットワークを備えている。利用者端末は各種要求項目を入力する入力装置と予約手続き画面や予約状況画面を表示する出力装置を有し、管理サーバは図書や閲覧室の予約手続きを一括して行うことができるホームページと、図書情報や閲覧室予約状況を保持できる記憶装置を有している。ホームページでは、図書予約処理と、受取日時指定処理と、閲覧室予約処理とを一括して行うことができる。本予約システムでは、図書予約者のみが閲覧室を予約することができることになる。
【０００５】
よって、本予約システムによって閲覧室の有効利用が可能となり、予約図書の効率的な運用が可能となる。
【０００６】
【発明の実施の形態】
以下に、本発明の基本的な実施形態について図１から図３を用いて説明する。
（システムの構成）
図１は、本発明による図書館総合予約システムの実施形態を示しており、利用者端末１は、表示装置１１と入力装置１２から構成されている。表示装置１１はＣＲＴディスプレィや液晶ディスプレィ等を、入力装置１２はキーボードやマウス等を用いることで実現する。入力装置２はネットワークであり、インターネット等で実現する。３はサービス提供用のサーバ、３１は制御装置、３２は図書予約用記憶装置、３３は閲覧室予約用記憶装置である。サーバにはパーソナルコンピュータ等の情報処理機器を用い、記憶装置には磁気ディスク装置等を用いることで実現できる。
（システムの処理手順）
次に、上述のように構成される図書館総合予約システムの処理手順を図１、２、３を用いて説明する。図３はそのフローチャートである。まず、利用者は図２における図書検索画面において利用者端末１の入力装置１１を用いて必要事項を入力する（図３：図書検索手続き）。サーバは入力事項から検索パラメータを決定し、図書予約用記憶装置３２より該当データを抽出し、図２における検索結果画面を表示装置１１に表示する。利用者は検索結果の中から予約したい図書を選択し、決定ボタンを押下する（図３：図書予約確定）。次に、利用者は図２における予約図書情報画面において図書受取日時を指定し、閲覧室座席を予約する場合はラジオボタンを選択し、予約ボタンを押下する。（図３：図書受取日時入力、閲覧室座席予約）この時、サーバは入力日時の座席状況を閲覧室座席用記憶装置に問い合わせ、空席がなければメッセージを表示し（図３：メッセージ表示）、別の日時を指定して閲覧室座席を予約することができる。閲覧室座席を予約しない場合、座席予約図書予約用記憶装置の図書予約状況を更新して図書予約のみが確定する（図３：更新処理）。閲覧室座席を予約する場合、図書予約用記憶装置の図書予約状況と閲覧室座席用記憶装置用記憶装置の座席状況を更新して図書と座席の予約が確定する（図３：更新処理）。
【０００７】
【発明の効果】
上記課題を解決するために、請求項１に記載した予約システムでは、利用者端末と図書館管理サーバとそれらをつなぐネットワークを備えている。利用者端末は各種要求項目を入力する入力装置と予約手続きや予約状況を表示する出力装置を有し、管理サーバは図書や閲覧室の予約手続きを一括して行うことができるホームページと図書予約状況や閲覧室予約状況を保持できる記憶装置を有している。ホームページでは、図書予約処理と、受取日時指定処理と、閲覧室予約処理を一括して行うことがすることができる。本予約システムでは、図書予約者のみが閲覧室を予約することができることになる。
【０００８】
本予約システムにより閲覧室の予約と予約図書の効率的な運用が可能となるので、利用者は快適なサービスを享受することができる。
【図面の簡単な説明】
【図１】本発明の実施例の図書館総合予約システムの構成図である。
【図２】本システムの処理動作のフローチャートである。
【図３】本システムにおいて各種情報を表示する画面である。
【符号の説明】
１…利用者端末、１１…表示装置、１２…入力装置、２…ネットワーク、３…サーバ、３１…制御装置、３２…図書予約用記憶装置、３３…閲覧室予約用記憶装置。
【図１】
2004062699.tif 000003
【図２】
2004062699.tif 000004
【図３】
2004062699.tif 000005
(57)【要約】【課題】市販の蛍光灯に文字、記号、絵および写真を印刷することができると、そのための印刷機、ソフトウェアを提供する。【解決手段】文字、記号、絵および写真を蛍光灯に印刷することにより、蛍光灯本来の明るさで文字、記号、絵および写真が引き立ち、人々の視線、関心や注意を引き付けることができることを特長とする。【選択図】　　図１
2004062122.tif 000002
【特許請求の範囲】
【請求項１】
市販されている定格の蛍光灯の直管タイプ、及び丸型タイプのガラス面へ文字、記号、絵、および写真を印刷することを特長とする。
【請求項２】
請求項１を印刷することを特長とする印刷機。
【請求項３】
請求項２を制御して、請求項１の文字、記号、絵、および写真をデザイン化することを特長とするソフトウェア。
【発明の詳細な説明】
【０００１】
【発明の属する技術分野】この発明は、市販されている蛍光灯のガラス面へ文字、記号、絵、および写真を印刷すること、それを印刷する印刷機、およびその文字、記号、絵、および写真をデザイン化し印刷機を制御するソフトウェアに関するものである。
【０００２】
【従来の技術】従来蛍光灯は照明として明るく照らす器具である。また屋内、電車やバス等の車内、駅構内など直に取り付けられているものが大半であり、屋外ではカバーを取り付け、一部町会の掲示板や表札などに文字が入れられているものはあるが、蛍光灯に直に文字などが入っているものはなかった。
【０００３】
【発明が解決しようとする課題】本発明者は、さまざまな箇所に取り付けられている蛍光灯を見て回り、人々の視線がどのように映るか、またどのような案内や広告などが注目を集められるかを調査して回った。
【０００４】
【課題を解決するための手段】その結果、市販の蛍光灯にさまざまな文字や記号などを塗って照らしてみて、蛍光灯自体が明かりを放つために文字がくっきりと浮き出るため人々の視線や注目を集めることができることを確信した。
また同時に蛍光灯に文字などを塗るのに、市販の蛍光灯に印刷できる専用の印刷機とそれを制御しデザイン化できるソフトウェアの必要性があった。
【０００５】
【発明の実施の形態】本発明で蛍光灯にカッティング文字を貼り付けてみたり、塗料を塗って実験を行ったが、貼り付けだと位置合わせなどの手間が掛かるのと材質の厚さで文字の引き立ち方に違いがでてしまうので印刷が好ましかった。
またインクリボンでも充分良いのだか、長期間の耐熱性や写真印刷などの面から考えてフルカラーに対応するインク吹き付け式のものが良かった。
【０００６】
【発明の効果】この発明によれば、印刷する面積や色によって若干蛍光灯の本来持つ明るさを損なうこともあるが、蛍光灯自体が明かりを放つため、文字などがくっきりと浮きでるために人々の注意を誘うことができる。特に電車やバス等車内の吊革の上の天井部分や下りの階段やエスカレーターの天井部分に設置置されている蛍光灯には、広告や案内などの効果は絶大である。商店の出入口部分などは、１本の蛍光灯の両面に文字などを印刷することにより、人々の視線は入る時と出る時とで別の印象を受けることができる。
広告としては会社名、商品名、催しごとなど、案内は場所などの表示や季節感を出したものや注意事項など利用についてはたくさんあります。
また、恋人や家族の写真や風景画などを印刷し、何かの記念や色を変えてみたりとインテリアの一部として遊び感覚をもってみることもできる。
手軽に蛍光灯への印刷が可能になると、蛍光灯が単なる照明器具という概念から更なる利用価値と需要を望むことができる。
【図面の簡単な説明】
【図１】本発明の使用例を示す説明図である。
【図２】本発明の製造工程を示すフローチャート図である。
【符号の説明】
１市販の蛍光灯　　　２印刷された文字、記号、絵および写真
【図１】
2004062122.tif 000003
【図２】
2004062122.tif 000004
(57)【要約】【課題】スタンド笠、天井、壁等の投影面に人間の心が癒されるような模様を写し出す電灯を提供することを目的とする。【解決手段】電灯のガラス面に模様を付した電灯。【選択図】図３
2004265845.tif 000002
【特許請求の範囲】
【請求項１】
電灯のガラス面に模様を付したことを特徴とする癒し効果を有する電灯。
【発明の詳細な説明】
【０００１】
【発明の属する技術分野】
本発明は、照明用に用いる模様付き電灯に関する。
【０００２】
【従来の技術】
従来、電灯としては、ガラス面が透明であったり、乳白色を呈した照明用電灯、またガラス面全体を赤、青、等の種々の色で彩色された装飾用電灯、さらには広告塔、広告かんばん等に用いられるネオンライト等が知られている。
【０００３】
【発明が解決しようとする課題】
しかしながら、現代のように複雑な世相からストレスがたまり、それが原因となって自律神経失調症やノイローゼになる人が急激に増大しているのが現状である。これらの症状を改善するために薬剤を投与したり、専門医によるカウンセリングが行われている。
このような治療を受けるためには通院する必要があり、そのために多くの時間と費用を費やさなければならなかった。
そこで本発明者は日常の生活のなかにあって自然にこれらの症状を改善するための方法について種々研究を重ねた結果本発明を完成するに至った。
【０００４】
【課題を解決するための手段】
すなわち、本発明は、電灯のガラス面に模様を付したことを特徴とする癒し効果を有する電灯に関する。
【０００５】
【発明の実施の形態】
本発明に用いる電灯としては電球、蛍光灯等が挙げられる。これらの電灯は、無色透明のものも使用できるが、昼光色、天然昼光色、白色、天然白色、真天然色、温白色、天然温白色等の色調が好ましい。
【０００６】
本発明の電灯は、ガラス面に種々の模様を付ける。模様の種類は特に制限されるものではないが、例えば図１に示す亀甲模様を呈する円形物を２枚重ね合わせ、上の一枚を回転させることにより、例えば図２に示すような模様が形成され、この模様を図３に示すように電灯Ｒのガラス面１に水玉模様状に模様２を付けたり、あるいは図２に示した模様を拡大した状態で電灯のガラス面全体を覆うように付けてもよい。
【０００７】
本発明の模様付き電灯を用いて照明した場合、電灯が曲面を有することから、スタンドの笠、天井、壁に放射状に除々にぼけた模様が投影される。
【０００８】
このようにスタンド笠等の投影面に放射状にぼけた状態の模様が人の心を癒す効果があり、特に図１に示す亀甲模様の図形を重ね合わせ一方を回転させることによって形成される種々の模様を用いるとその効果は一層高められる。
【０００９】
【発明の効果】
本発明の電灯を用いることによって壁等の投影面に独特の模様を投影することができ、この模様を眺めていると心が癒される効果を有する。従って本発明の電灯を寝室用の照明に用いると最適である。
【図面の簡単な説明】
【図１】‥‥亀甲模様を有する円形状図柄を示した状態図
【図２】‥‥図１の図柄を用いて形成された模様の状態図
【図３】‥‥本発明の模様付きの電灯の側面図
【符号の説明】
Ｒ‥‥電灯
１‥‥ガラス面
２…模様
【図１】
2004265845.tif 000003
【図２】
2004265845.tif 000004
【図３】
2004265845.tif 000005
(57)【要約】【目的】いつでも手軽に点灯できるペンライトを提供する。【構成】プラスチックの円筒（１）内に自由に移動できる、永久磁石（２）を入れ、円筒（１）にコイル（３）を設け、コイル（３）の出力線に整流器（４）とさらに蓄電用コンデンサー（５）を接続し前記コンデンサー（５）より定電流ダイオード（６）と発光ダイオード（７）を直列接続した。【選択図】    図１
2004265847.tif 000002
【特許請求の範囲】
【請求項１】
プラスチックの円筒（１）内に永久磁石（２）を入れ、円筒（１）にコイル（３）を設け、前記コイル（３）の出力線にブリッジの整流器（４）を設け接続し、さらに前記ブリッジの整流器（４）の出力線に蓄電用コンデンサー（５）を設け接続し、前記  コンデンサー（５）から定電流ダイオード（６）と発行ダイオード（７）を直列接続した構造を設けたペンライトで前記  永久磁石（２）は、プラスチックの円筒（１）内を移動出来る構造を備えたもので外力を円筒（１）に加える事で、永久磁石（２）がプラスチックの円筒（１）を移動する事によりプラスチックの円筒（１）に設けられたコイル（３）に誘起した電気により発行ダイオード（７）を点灯させることを特徴としたペンライト。
【発明の詳細な説明】
【０００１】
【発明の属する技術分野】
本発明は、ペンライトに関するものである。
【０００２】
【従来の技術】
従来のペンライトは電池でライトを発光させていた。
【０００３】
【発明が解決しようとする課題】
これには、次のような欠点があった。
従来のペンライトには、一次電池を使ったものと二次電池を使ったものがあったが、一次電池を使ったものでは、電池が消耗するとライトを点灯させることが出来なくなった。
また二次電池を使ったペンライトでは商用電源等、別電源にて充電しないと使用できない欠点があった。
本発明は、これらの欠点を解消するためになされたものである。
【０００４】
【課題を解決するための手段】
プラスチックの円筒（１）内に永久磁石（２）を入れ、円筒（１）にコイルを設け、コイル（３）の出力線にブリッジの整流器（４）を接続しさらに前記ブリッジの整流器（４）の出力線に蓄電用コンデンサー（５）を接続し前記コンデンサー（５）より定電流ダイオード（６）と発光ダイオード（７）を直列接続した構造を設けたペンライトであり。永久磁石（２）はプラスチックの円筒（１）内を可動出来る構造を設けたものであるペンライト。
【０００５】
【作用】
外力を円筒（１）に加える事により前記プラスチックの円筒（１）内の永久磁石（２）が可動する事により円筒（１）に設けられたコイル（３）に電気が誘起しその誘起した電気により発光ダイオード（７）を点灯させるものである。
【０００６】
【実施例】
以下、本発明の実施例について説明する。
プラスチックの円筒（１）に設けられたコイル（３）の出力線にブリッジの整流器（４）を接続し前記ブリッジの整流器（４）の出力線に蓄電用コンデンサー（５）を接続し前記コンデンサー（５）より定電流ダイオード（６）と発光ダイオード（７）を直列接続しプラスチックの円筒（１）内に永久磁石（２）を入れたもので前記永久磁石（２）はプラスチックの円筒（１）内を自由に可動出来る構造を設けたものである。
【０００７】
本発明は以上のような構造で、円筒（１）に外力を加える事により前記円筒（１）内の永久磁石（２）が円筒（１）を移動する事により円筒（１）に設けられたコイル（３）に電気が誘起しその誘起した電気により発光ダイオード（７）を点灯させるものでありまた前記、発光ダイオード（７）は電球でもかまわない。また蓄電用コンデンサー（５）はニッカド電池などでも、蓄電出来るものであれば、いずれでもかまわない。また、定電流ダイオード（６）ブリッジの整流器（４）等は、専用ＩＣによって構成してもかまわない。
【０００８】
【発明の効果】
本発明は、以上のような構造で、いつでも手軽に点灯できるペンライトを提供した。
【図面の簡単な説明】
【図１】本発明の断面図である。
【図２】本発明の回路図である。
【図３】本発明の円筒（１）をリング状にした応用例の断面図である。
【符号の説明】
１      円筒
２      永久磁石
３      コイル
４      整流器
５      コンデンサー
６      定電流ダイオード
７      発光ダイオード
【図１】
2004265847.tif 000003
【図２】
2004265847.tif 000004
【図３】
2004265847.tif 000005
【手続補正書】
【提出日】平成15年6月5日(2003.6.5)
【手続補正２】
【補正対象書類名】明細書
【補正対象項目名】特許請求の範囲
【補正方法】変更
【補正の内容】
【特許請求の範囲】
【請求項１】
プラスチックの円筒（１）内に永久磁石（２）を入れ、円筒（１）にコイル（３）を設け、前記コイル（３）の出力線にブリッジの整流器（４）を設け接続し、さらに前記ブリッジの整流器（４）の出力線に蓄電用コンデンサー（５）を設け接続し、前記  コンデンサー（５）から定電流ダイオード（６）と発光ダイオード（７）を直列接続した構造を設けたペンライトで前記  永久磁石（２）は、プラスチックの円筒（１）内を移動出来る構造を備えたもので外力を円筒（１）に加える事で、永久磁石（２）がプラスチックの円筒（１）を移動する事によりプラスチックの円筒（１）に設けられたコイル（３）に誘起した電気により発光ダイオード（７）を点灯させることを特徴としたペンライト。
【手続補正３】
【補正対象書類名】図面
【補正対象項目名】図２
【補正方法】変更
【補正の内容】
【図２】
2004265847.tif 000006
(57)【要約】【課題】外出先でノートパソコンを使用するとき、マウスの操作が可能なノートパソコン用マウスパッド装置の提供。【解決手段】マウスを操作するマウスパッド本体と、ノートパソコン使用時には前記マウスパッド本体を支持すると共にノートパソコンが載置され、ノートパソコン不使用時には前記マウスパッド本体が収納される支持体とからなるノートパソコン用マウスパッド装置。【選択図】  図１
2004265365.tif 000002
【特許請求の範囲】
【請求項１】
マウスを操作するマウスパッド本体と、ノートパソコン使用時には前記マウスパッド本体を支持すると共にノートパソコンが載置され、ノートパソコン不使用時には前記マウスパッド本体が収納される支持体とからなることを特徴とするノートパソコン用マウスパッド装置。
【請求項２】
前記マウスパッド本体は、横方向にスライドして前記支持体に収納される請求項１記載のノートパソコン用マウスパッド装置。
【請求項３】
前記マウスパッド本体は、折りたたみにより前記支持体に収納される請求項１記載のマウスパッド付きノートパソコン用マウスパッド装置。
【請求項４】
前記支持体は、ノートパソコンの底面積とほぼ等しい面積である請求項１記載のノートパソコン用マウスパッド装置。
【請求項５】
前記マウスパッド本体には、飲物容器を保持する手段が設けられている請求項１記載のノートパソコン用マウスパッド装置。
【発明の詳細な説明】
【０００１】
【発明の属する技術分野】
本発明は、ノートパソコンを飛行機または電車等の乗物の座席あるいは外出先の待合席等で膝の上に載せて使用する際に、マウスを安定して容易に操作できる機能を有するノートパソコン用マウスパッド装置に関するものである。
【０００２】
【従来の技術】
ノートパソコン自身には、マウスを使用しないで済むポインテングデバイスとして、トラックボール、トラックポイント、タッチパッド等が付いている。しかし、家庭内あるいは事務所等の机上でノートパソコンを使用する時は、殆どマウスを使用している。この理由はマウスの操作が良いことと、マウスを操作するためのマウスパッドを置く場所を容易に確保できるからである。
【０００３】
【発明が解決しようとする課題】
外出時の電車、飛行機内等でノートパソコンを使用する時でも、操作性の良いマウスの使用が望ましいが、マウスパッドを置く場所がなく、やむなくノートパソコンに付いているポインテングデバイスを使用せざるを得なく、操作性に難点がある。また、電車、飛行機等でノートパソコンを使用する場合、膝上でパソコンを操作するため、コーヒー等の飲み物を置く座席背面に付いているテーブルが使用できず、パソコン操作と飲み物を飲む事が両立し得ないといった問題もある。
【０００４】
【発明が解決しようとする課題】
本発明は、上記した従来技術の問題点を解決するものであり、外出時でも、操作性の良いマウスを使用することができるノートパソコン用マウスパッド装置の提供を目的とする。
【０００５】
【課題を解決するための手段】
上記目的を達成するため本発明は、マウスを操作するマウスパッド本体と、ノートパソコン使用時には前記マウスパッド本体を支持すると共にノートパソコンが載置され、ノートパソコン不使用時には前記マウスパッド本体が収納される支持体とからなるノートパソコン用マウスパッド装置を提供する。
【０００６】
電車、飛行機等では、膝上でノートパソコンを操作するのが一般的である。本発明におけるノートパソコン用マウスパッド装置は、ノートパソコン使用時においては支持体をノートパソンと膝の間に置いてノートパソコンの重みで固定し、この固定された支持体でもってマウスパッド本体を支持するため、マウスを容易に操作することができる。また、ノートパソコンの不使用時においては、マウスパッド本体を支持体に収納することによりコンパクト化され、持ち歩きが容易である。特に、支持体の大きさ（面積）をノートパソコンの底面積と同等またはそれ以下とすることにより、ノートパソコンと一緒にバッグに収納して持ち歩くことが可能となる。マウスパッド本体および支持体を構成する材料は特に限定されないが、携帯性を考慮し、プラスチック、木製、マグネシウム、アルミ等の軽量なものが好ましい。また、マウスパッド本体には、飲物容器を置くための穴を設けることも可能であり、パソコンを操作しながらコーヒー等を飲むことが可能になる。
【０００７】
【発明の実施の形態】
以下、添付図面を参照して本発明に係るノートパソコン用マウスパッド装置の実施の形態を説明する。図１は、本発明に係るノートパソコン用マウスパッド装置の一実施の形態の斜視説明図であり、１はマウスパッド本体、２はマウスパッド本体１を収納する支持体、３は飲物置き穴である。本実施の形態においては、マウスパッド本体１は、図の矢印方向にスライドし、ノートパソコン使用時には図１に示すように引き出した状態で使用される。ノートパソコンが支持体２の上に載せられる重みでもって支持体２が固定され、この支持体２に一端が支持されたマウスパッド本体１の上でマウスの操作が可能となる。ノートパソコンの使用が終わったときは、マウスパッド本体１をスライドさせて支持体２に収納することにより、コンパクトな形状となる。
【０００８】
図２は、本発明に係るノートパソコン用マウスパッド装置の他の実施の形態の斜視説明図である。本実施の形態は、マウスパッド本体２１を折りたたみヒンジ部２４で折りたたんで支持体２２に収納できるようにしたものであり、その使用形態は、上記の説明と同様である。なお、２３は飲物置き穴である。
【０００９】
なお、本発明においては、ノートパソコンを収納して運搬するときに使用するバッグの両側面のいずれか一方にマウスパッド本体を支持する支持体を取り付けるか、側面の一部を利用して支持体を構成し、移動時などのノートパソコン不使用時にはバッグ側面の支持体にマウスパッド本体を収納しておき、ノートパソコン使用時にはマウスパッド本体を引き出して使用するようにしても良い。
【００１０】
【発明の効果】
以上説明してきたように、本発明は、マウスを操作するマウスパッド本体と、ノートパソコン使用時には前記マウスパッド本体を支持すると共にノートパソコンが載置され、ノートパソコン不使用時には前記マウスパッド本体が収納される支持体とからなるノートパソコン用マウスパッド装置を提供するものであり、外出先等でもマウスを容易に操作でき、ノートパソコンを円滑に操作できるようになる。
【図面の簡単な説明】
【図１】本発明のノートパソコン用マウスパッド装置の一実施の形態の斜視説明図。
【図２】本発明のノートパソコン用マウスパッド装置の他の実施の形態の斜視説明図
【符号の説明】
１、２１：マウスパッド本体
２、２２：支持体
３、２３：飲み物置き穴
２４：折りたたみヒンジ部
【図１】
2004265365.tif 000003
【図２】
2004265365.tif 000004
(57)【要約】【課題】従来の動物の血統証明書は、発行依頼者の申告情報を基に発行していたので申告情報に錯誤や不正があると意味の無い証明書になってしまった。【解決手段】血統証明書発行の対象動物遺伝子とその父と母動物の遺伝子解析により、遺伝上の親子関係を証明し証明書を発行することをビジネスとする方法。証明書の検証も遺伝子分析で可能となる。【選択図】図１
2004265362.tif 000002
【特許請求の範囲】
【請求項１】
動物の血統を遺伝子において解析し証明書を発行するビジネス方法。
【発明の詳細な説明】
【０００１】
【発明の属する技術分野】
この発明は、動物の血統証明書の発行に関する。
【０００２】
【従来の技術】
従来の動物の血統証明書は、発行依頼者の申告情報を基に発行していた。
【０００３】
【発明が解決しようとする課題】
しかしながら、以上の従来技術によれば、発行依頼者の申告情報に錯誤や不正があれば、血統証明書は当然意味の無いものになります。
そこで、この発明は血統証明書の信頼性と信用性を高めることを課題とする。
【０００４】
【課題を解決するための手段】
以上の課題を解決するために、請求項１の発明は、動物の血統を遺伝子において解析し証明書を発行するビジネス方法。
【０００５】
【発明の実施の形態】
この発明の一実施形態を、図１に示す。血統証明書発行依頼者１は血統証明対象動物２と、その２の母動物３と、その２の父動物４のそれぞれの体毛又は粘膜等の細胞を検査機関５に送り、その解析結果を受け、血統証明書発行機関６は証明書を発行する。検査機関５と血統証明書発行機関６は同一でも良い。
【０００６】
【発明の効果】
以上説明したように、この発明によれば、血統証明書の本来の目的である遺伝子の継承を科学的に証明することになり、証明書の信用性と信頼性が確実なものとなる。またその証明証の検証も遺伝子解析により科学的に可能となる。結果的に優良な動物の繁殖に貢献できる。
【図面の簡単な説明】
【図１】この発明の一実施形態を示した平面図ある。
【符号の説明】
１  血統証明書発行依頼者            ２  血統証明対象動物
３  ２の母動物                      ４  ２の父動物
５  検査機関                        ６  血統証明書発行機関
【図１】
2004265362.tif 000003
(57)【要約】【課題】この発明は、ＩＣチップ等を商品に取り付け、万引き防止情報が解除されていない商品のＩＣチップ等を出口の検知器で感知させ反応して万引きを発見し、さらにＩＣチップ等に商品のデータを入力する事によりレジでの精算の手間を省くことができる万引き防止装置及び精算装置。【解決手段】万引き防止のデータと商品のデータを入力したＩＣチップ等を商品に取り付け、解除されていない商品のＩＣチップ等に万引き防止の情報を入力し、検知器で感知することによって万引きを防止し、商品のデータによって精算時の手間を省く事ができる。又ＩＣチップ等にお客さんの所持品に反応した場合は解除装置にて解除し、解除できなかったお客さんには精算後、検知器のない出口から出てもらう事を特徴とする。【選択図】図１
2004265367.tif 000002
【特許請求の範囲】
【請求項１】
この発明はＩＣチップ等（１０）を商品に取り付け万引き防止情報が解除されていない商品のＩＣチップ等（１０）に出入口（１）の検知器Ａ（２）のセンサーによって反応する万引き防止装置及び精算装置。
【請求項２】
出入口（１）の検知器Ａ（２）で、入ってきた客が所持していた物に反応したときにデータ解除装置イ（２）で解除し、解除できなかったお客さんには精算後、検知器の無い出口（９）から出てもらう事を特徴とする請求項１の万引き防止装置及び精算装置。
【請求項３】
ＩＣチップ等に万引き防止情報だけでなく、商品の品名や料金のデータを入力することにより商品の金額を一回一回レジに入力しなくてもＩＣチップ等の情報を精算所で読み取ることができることを特徴とする請求項１の万引き防止装置及び精算装置。
【発明の詳細な説明】
【０００１】
【発明の属する技術分野】
この発明は、店頭の商品に、検知器に反応するＩＣチップ等（１０）を取り付けて、精算時に万引き防止情報が解除されなかった商品に反応することによって万引きを防止する装置であり、しかも、ＩＣチップ等（１０）に商品の値段やデータを入力する事により、レジでの精算が省力化でき人件費までも節約する事が出来るものである。
【０００２】
【従来の技術】
従来の万引き防止装置は大きなＩＣチップ等を商品に取り付け、レジで精算する際に１つひとつ取り外して精算を済ませた客には出口の検知器が反応しない様にするものであった。
【０００３】
【発明が解決しようとする課題】
そのために精算時に万引き防止装置を１つひとつ商品から取り外すのに手間がかかっていた。
本発明は、これらの欠点を解決するためになされたものである。
【０００４】
【課題を解決するための手段】
商品にＩＣチップ等（１０）を取り付け、販売店にて検知器（２、４、８）とデータ解除装置（３、７）を設け、精算時にＩＣチップ等（１０）の万引き防止情報を解除するシステムによってデータ解除装置ロ（７）を通らなければ出入口（１）の検知器Ａ（２）により反応する。
本発明は、以上の構成からなる万引き防止装置である。
【０００５】
【発明の実施の形態】
次に本発明の実施形態を述べると、店頭で売られる商品に製造段階でＩＣチップ等（１０）を取り付けるか、販売店にて商品にＩＣチップ等（１０）を取り付ける。
販売店において、客が出入口（１）の検知器Ａ（２）に反応するものを持っていないかを確認する。反応するものを持っていた場合は、データ解除装置イ（３）を通過させ、情報を解除する。さらに検知器Ｂ（４）を通過させ再度反応しない事を確認する。この検知器Ｂ（４）にどうしても反応する客については出るときには検知器の無い出口（９）から出てもらう。
【０００６】
買い物をした後、精算所（５）にて精算する。その際に、ＩＣチップ等が付いている商品は商品情報が入力されているので１つひとつ値段を確認しなくてもレジで当該商品情報を読み込むことができる。ＩＣチップ等（１０）の付いていない商品に関しては別途精算する。ベルトコンベアー（６）で流して、データ解除装置ロ（７）を通過しＩＣチップ等（１０）に入力されている万引き防止情報を解除する。その商品を検知器Ｃ（８）に通過させ確実に解除されたか確認する。その後、客は検知器Ａ（２）を通過して出る。その際、データ解除装置ロ（７）を通過していないＩＣチップ等（１０）の付いた万引きした商品に対してセンサーが働く。
【０００７】
一度買い上げた商品を返品された場合は入力装置を販売店にＩＣチップ等に情報等を入力する入力装置を設置し、再び万引き防止の情報を入力する事により同じように作動する。
又、ＩＣチップ等の付いていない、現在販売している商品にも取り付けて使用することができる。
【０００８】
【発明の効果】
このような装置によって、本発明は確実に万引きの被害を減少させるとともに、データ解除装置を設けることにより１つひとつＩＣチップ等を取り外す手間が省けるので、精算時の時間短縮又、客の待ち時間を短縮する事ができるものである。
又、データ解除装置を出入口にも設けることによって、入店時に所持していたものに反応したものを解除でき、解除できなかった客は店員が分かるので、検知器のない出口（９）から出てもらう事で客に嫌な思いをさせずにすむ。このようにすることにより、センサーがその商品に反応するだけでなく、身に付けているものや所持しているもの、他の店で購入した商品などにも反応してしまい、万引きをしていないお客さんに疑いをかけてしまうことが無いようにする。
さらに、ＩＣチップ等に商品情報を入力することによって、レジでの清算業務の手間が省け、レジでの人為的ミスを防ぐことができる。
【図面の簡単な説明】
【図１】本発明万引き防止装置の使用説明図
【図２】本発明のＩＣチップ等の取り付け説明図
【符号の説明】
１  出入口
２  検知器Ａ
３  データ解除装置イ
４  検知器Ｂ
５  精算所
６  ベルトコンベアー
７  データ解除装置ロ
８  検知器Ｃ
９  出口
１０  ＩＣチップ等
１１  商品
【図１】
2004265367.tif 000003
【図２】
2004265367.tif 000004
(57)【要約】【課題】簡単な構成で位置決め不要の接続ケーブル抜け防止機構を提供することを目的とする。【解決手段】ジャック５の配列の中心に抜け防止保持部２を設け、接続ケーブル４を取り付ける。円形の抜け防止部１を設けビス３で抜け防止保持部２に固定する。【選択図】  図１
2004265757.tif 000002
【特許請求の範囲】
【請求項１】
信号をつなぐ複数のジャックと、
前記複数のジャックに接続するケーブルと、
前記ケーブルが抜けない様にする為の抜け防止部と、
前記抜け防止部を支持する為の支柱とを設けた接続ケーブル抜け防止機構。
【請求項２】
前記複数のジャックと前記支柱との位置関係は前記支柱が前記複数のジャックの配列の略中心に位置する請求項１記載の接続ケーブル抜け防止機構。
【請求項３】
前記抜け防止部の形状は略円形である請求項１または２記載の接続ケーブル抜け防止機構。
【発明の詳細な説明】
【０００１】
【発明の属する技術分野】
本発明は、ケーブルの接続においてケーブルの抜け防止ができると共に、抜け防止部の固定位置を規制しない接続ケーブル抜け防止機構に関する。
【０００２】
【従来の技術】
従来、機器の筐体に固定されるケーブルジャックの取り付け構造は、図４のように構成されていた。接続ケーブル４はジャック取り付け部（図示せず）に差し込むだけの構造となっている為、何らかの力が作用した際に接続ケーブル４が抜けてしまうと信号が伝わらなくなってしまう。そこで、それを防ぐ為に抜け防止が必要となる。従来のケーブル抜け防止機構は図のように、抜け防止金具８の端部の位置決め用の引っ掛け１１を保持金具９の穴１０に差込み、抜け防止金具８の位置決め（位置規制）をした上で、抜け防止金具８をビス３で固定するように構成されていた。（例えば、特許文献１参照。）。
【０００３】
【特許文献１】
実開平７−１８４９０号公報
【０００４】
【発明が解決しようとする課題】
しかしながら上記の従来の構造では、抜け防止金具の位置規制が必要であるので、位置を規制する為の構造が必要となり保持金具の構造が複雑となるという課題があった。また、位置規制の為の組立工数も必要であるという課題があった。最近では製品の小型化が進み、小スペースにジャックを配置するケースが多く小スペースの中で位置決めが必要となると、作業的にも注意を必要とした。
【０００５】
本発明は、上記従来の問題点を解決するもので、抜け防止部の位置決めを不要とし、抜け防止部及び保持部の形状を簡単な形状にすることを目的とする。
【０００６】
【課題を解決するための手段】
この課題を解決するために本発明は、抜け防止機構をジャック配列の中心に配置して円形の抜け防止部を有し、抜け防止保持部はビスが締結可能な支柱とした構成である。
【０００７】
この構成によって抜け防止部と保持部は簡単な形状で作成可能となり、抜け防止部の取付けの際、抜け防止部が円形形状の為どの位置で固定されてもケーブルの抜け止めができるようになる。
【０００８】
【発明の実施の形態】
以下、本発明の実施の形態について図を用いて説明する。図１は本発明のケーブル抜け防止機構の斜視図であり、図２は抜け防止機構を正面から見た透視図である。図３のように、４つのジャック５が同一円周上に位置するように保持金具７に固定されている。ジャック５の端部にはケーブル取り付け部６が設けられており、それぞれに接続ケーブル４が差し込まれる。接続ケーブル４は、ジャック５と基板等（図示せず）との間の信号を接続している。
【０００９】
抜け防止部１は略円形形状を有した板状の部材であり、その中心部には固定用のビス穴（図示せず）が設けられている。複数のジャック５の配列の中心には抜け防止保持部２が構成されている。抜け防止保持部２は一端が保持金具７に固定されており、他端には抜け防止部１がビス３によって締結される。抜け防止保持部２の全長は、ジャック５が保持金具７に対して抜け防止保持部２側に突出している長さと略同一となっている。また、複数のジャック５の配列の中心、抜け防止部１の中心及び抜け防止保持部２は一直線上に配置される。抜け防止部１を抜け防止保持部２にビス３で締結する際、抜け防止部１は回転するがジャック５の配列の中心上での回転であるので、どの角度で締結されていても複数のジャック５すべてのケーブル取り付け部６を押圧することになる。このような構成により、抜け防止部１の固定の際に位置規制をせずとも、すべてのジャック５のケーブル取り付け部６を押圧することでケーブルの抜け防止をすることができる。
【００１０】
なお、本実施の形態では４つのジャックに対するケーブル抜け防止機構として説明したが、ジャックの数はいくつでもよく、抜け防止部１がケーブル取り付け部６を押圧できる範囲の円内におさまっていればよい。例えば、ジャックが６つである場合には、２×３の格子状にジャックを配置し、その中央部に、６つのジャックすべてのケーブル取り付け部を押圧することの出来る大きさの抜け防止部を固定するようにすればよい。
【００１１】
なお、本実施の形態では抜け防止部１は略円形としたが、その形状は必ずしも円形である必要はなく、正方形や八角形等の多角形でもよい。その場合、それらの形状の中心部（ビス３で抜け防止保持部２に固定する位置）から抜け防止部１の外周までの最短の長さを半径とする円内にすべてのジャックのケーブル取り付け部がおさまるようにする必要がある。この条件を満たす限り、抜け防止部１の形状は長方形など任意の形状でかまわないが、任意形状よりも多角形、多角形よりも円形のほうが望ましい。
【００１２】
なお、本実施の形態では抜け防止保持部２の全長は、ジャック５が保持金具７に対して抜け防止保持部２側に突出している長さと略同一であるとしたが、より短い構成としてもよい。その場合、その長さの差は、抜け防止部１を固定した際に抜け防止部１がケーブル取り付け部６に押圧されて弾性変形する（塑性変形しない）範囲である必要があり、また、抜け防止部はそのような弾性変形可能な材質（例えば金属や樹脂）と形状を選択する必要があるが、それだけ押圧する力が強まり、抜け防止の効果が高まる。また、逆に抜け防止保持部２がより長い構成としてもよい。その場合は抜け防止部１が固定されてもケーブル取り付け部６は抜け防止部１によって押圧されないが、ケーブル取り付け部６が緩んでもケーブル４が抜けるほどに緩まなければ問題はない。
【００１３】
【発明の効果】
以上のように本発明は接続ケーブルの抜け防止部と抜け防止保持部をジャック配列の中心に配置して尚且つ抜け防止部の形状を円形にする事により、抜け防止部の固定位置の規制を不要にする効果が得られる。
【図面の簡単な説明】
【図１】本発明の実施の形態におけるケーブル抜け防止機構の斜視図
【図２】本発明の実施の形態におけるケーブル抜け防止機構の正面図
【図３】ジャックと抜け防止保持部の斜視図
【図４】従来のケーブル抜け防止機構の斜視図
【符号の説明】
１  抜け防止部
２  抜け防止保持部
３  ビス
４  接続ケーブル
５  ジャック
６  ケーブル取り付け部
７  保持金具
８  抜け防止金具
９  保持金具９
１０  抜け防止金具位置決め用穴
１１  位置決め用引っ掛け
【図１】
2004265757.tif 000003
【図２】
2004265757.tif 000004
【図３】
2004265757.tif 000005
【図４】
2004265757.tif 000006
(57)【要約】【課題】光源と、該光源から出射した光を反射させるリフレクタと、該リフレクタで反射した光が透過する透光板とを有する照明装置において、少数の光源によって、その光源数よりも多数のドット状部を透光板上に表示できるようにする。【解決手段】リフレクタ３の光反射面７に、光源２の数よりも多数の突部８を形成し、１つの光源２からの光を複数の突部８で反射させ、その突部８の数に相当する数の高照度ドット状部を透光板４上に表示させる。【選択図】  図１
2004265784.tif 000002
【特許請求の範囲】
【請求項１】
光源と、該光源から出射した光を反射させるリフレクタと、該リフレクタで反射した光が透過する透光板とを有する照明装置において、前記リフレクタの光反射面に、前記光源の数よりも多数の突部を形成したことを特徴とする照明装置。
【請求項２】
前記突部がほぼ半球状に形成されている請求項１に記載の照明装置。
【請求項３】
前記光源が発光ダイオードより成る請求項１又は２に記載の照明装置。
【発明の詳細な説明】
【０００１】
【発明の属する技術分野】
本発明は、光源と、該光源から出射した光を反射させるリフレクタと、該リフレクタで反射した光が透過する透光板とを有する照明装置に関する。
【０００２】
【従来の技術】
透光板を通して外部に出射する光によって、周囲を照らして明るくする上記形成の照明装置は従来より各種の技術分野で利用されている。例えば、自動車の車体後部に取り付けられるテールランプ、ストップランプ、これらの機能を兼用したテールアンドストップランプ、車室内のルームランプ、車幅灯などがその代表例である。
【０００３】
ところで、上述の如き照明装置の透光板を均一な照度で光らせる代わりに、周辺部よりも照度の高い多数のドット状部が透光板上に表示されるように照明装置を構成すると、その意匠効果を高めることができる。図４はかかる照明装置の一従来例を示す断面図であり、図５は図４の右側から見た正面図である。ここに示した照明装置１Ａは、発光ダイオードより成る複数の光源２Ａ，２Ｂ，２Ｃと、その各光源から出射した光を反射させるべく、その各光源２Ａ，２Ｂ，２Ｃにそれぞれ対応して設けられたリフレクタ３Ａ，３Ｂ，３Ｃと、各光源２Ａ，２Ｂ，２Ｃに対向して位置する透光板４Ａとを有している。光源２Ａ，２Ｂ，２Ｃが発光すると、その各光源２Ａ，２Ｂ，２Ｃから出射する光の一部は直に透光板４Ａに至って、ここを通過し、他の一部は各リフレクタ３Ａ，３Ｂ，３Ｃにて反射した後、透光板４Ａを透過する。このため、透光板４Ａを正面側から観察すると、その透光板４Ａには、図５に示すように周辺部Ａよりも照度の高い多数のドット状部Ｂが現われ、その意匠効果が高められる。図５においては、各ドット状部Ｂに付した二重斜線が、周辺部Ａに付した一重斜線よりも照度が高いことを示している（図３においても同じ）。
【０００４】
ところが、図４及び図５に示した照明装置１Ａによると、透光板４Ａ上に表示される高照度のドット状部Ｂの数と同数の光源２Ａ，２Ｂ，２Ｃを設ける必要があるため、照明装置１Ａの構造が複雑となるばかりか、そのコストが上昇する欠点を免れない。
【０００５】
【発明が解決しようとする課題】
本発明の目的は、光源の数よりも多数のドット状部を透光板上に表示できる冒頭に記載した形式の照明装置を提供することにある。
【０００６】
【課題を解決するための手段】
本発明は、上記目的を達成するため、冒頭に記載した形式の照明装置において、前記リフレクタの光反射面に、前記光源の数よりも多数の突部を形成したことを特徴とする照明装置を提案する（請求項１）。
【０００７】
また、上記照明装置において、前記突部がほぼ半球状に形成されていると有利である（請求項２）。
【０００８】
さらに、上記請求項１又は２に記載の照明装置において、前記光源が発光ダイオードより成ると有利である（請求項３）。
【０００９】
【発明の実施の形態】
以下、本発明の実施形態例を図面に従って詳細に説明する。
【００１０】
図１は、自動車のテールアンドストップランプとして構成された照明装置１の断面図であり矢印Ｃは自動車の前進方向を示している。ここに示した照明装置１は、自動車の車体後部に固定されたハウジング５と、そのハウジング５の後部に固定された透光板４と、その透光板４及びハウジング５の内部の空間に固定配置されたリフレクタ３と、そのリフレクタ３に形成された取付孔６に嵌着固定された光源２を有している。ここでは、光源２が発光ダイオードより成り、かかる光源２の数は、１又は複数の適数に設定される（図１には１つの光源２だけを示してある）。
【００１１】
リフレクタ３は、光源２から出射した光を反射させる用をなし、かかるリフレクタ３で反射した光源２からの光は透光板４を透過して照明装置１の外部に出射する。ここでは、その照明装置１が自動車のテールアンドストップランプとして構成されているので、光源２が発光することにより、その自動車の存在を後続車に報せ、また当該自動車がブレーキをかけたことを後続車に報せることができる。
【００１２】
ここで、図１及び図２に示すように、リフレクタ３の光反射面７には、光源２の数よりも多数の突部８が形成され、図示した例では、その突部８がほぼ半球状に形成されている。
【００１３】
上記構成によれば、１個の光源２から出射した光が複数の突部８と、その周辺の光反射面で反射するので、図１に示した透光板４をその右方から見た状態を示す図３から判るように、当該透光板４には、周辺部Ａよりも照度の高いドット状部Ｂが光源２の数よりも多数、表示される。実際には少数の発光ダイオードが設けられているだけであるが、透光板４には、実際の発光ダイオード数よりも多数のドット状部Ｂが表示され、その各ドット状部Ｂがあたかも個々の発光ダイオードが発光しているように観察されるのである。このように発光ダイオード１個に対して数個のドット状部を表示板４上に表示できるので、コストの上昇と構造の複雑化を抑えつつ、意匠効果を上げることができる。
【００１４】
本発明は、自動車のテールアンドストップランプのほかに、テールランプ、ストップランプ、ルームランプ、車幅灯、又はその他の照明装置にも広く適用できるものである。
【００１５】
【発明の効果】
本発明によれば、光源の数よりも多数のドット状部を透光板上に表示できるので、コストの上昇と構造の複雑化を抑えつつ、意匠効果を高めた照明装置を供することができる。
【図面の簡単な説明】
【図１】本発明一実施例の照明装置を示す断面図である。
【図２】図１に示したリフレクタの光反射面に形成された突部を示す斜視図である。
【図３】図１に示した照明装置の透光板に表示されたドット状部とその周辺部の様子を示す図である。
【図４】従来の照明装置の一例を示す断面図である。
【図５】図４に示した照明装置の透光板に表示された複数のドット状部と、その周辺部の様子を示す図である。
【符号の説明】
１  照明装置
２  光源
３  リフレクタ
４  透光板
７  光反射面
８  突部
【図１】
2004265784.tif 000003
【図２】
2004265784.tif 000004
【図３】
2004265784.tif 000005
【図４】
2004265784.tif 000006
【図５】
2004265784.tif 000007
(57)【要約】【課題】主に屋外で使用される人体検知機能付き自動照明装置において、重厚かつ頑丈な調整機能付き取り付け機構を小型で軽量且つ簡素な取り付け機構とすること。【解決手段】コンセント近傍にＡＣアダプターを用いたのちに商業電源から絶縁した状態で本体に電源供給することで細い電線を使用することができ軽量且つ簡素な取り付け機構とした。【選択図】          図１
2004265688.tif 000002
【特許請求の範囲】
【請求項１】
ある一定の照度以下の環境において、人体を検知し一定時間照明を点灯させる人体検知機能付き自動照明装置において、少なくとも１軸以上の照明エリア、及び人体検知エリアの調整機構を有するとともに、ＡＣアダプターにより電源を供給することを特徴とした人体検知機能付き自動照明装置。
【発明の詳細な説明】
【０００１】
【発明の属する技術分野】
本発明は、主に屋外で使用させる人体検知付き自動照明装置に関する。
【０００２】
【従来の技術】
主に屋外で使用される人体検知機能付き自動照明装置は、コンセントからＡＣ１００Ｖのままで本体まで電線を用い供給したのち、本体内で変換し、人体検知回路などの制御回路に供給する方式をとっており、そのため安全面より電源を本体に供給する電線には重量があり且つ湾曲しにくい二重皮膜線を使用する必要があった。そのため、本体を設置部分に固定し、且つ照明、及び人体検知エリアを調整するための機能を有する必要のある取り付け機構は、重厚、堅牢である必要があった。
【０００３】
【発明が解決しようとする課題】
上記のような理由により人体検知付き自動照明装置は、重厚かつ堅牢な取り付け機構を必要とするため、重量があるだけでなく、機構も大きく頑丈とする必要があった。
【０００４】
本発明は上記問題点を解決し、小型で軽量且つ簡素な取り付け機構とすることが出来ることを目的とする。
【０００５】
【課題を解決するための手段】
本発明は、コンセント近傍でＡＣアダプターを使用し、商用電源から電気的に絶縁した上で４８Ｖ以下とし本体まで電源を供給する電線を細いものを使用したことで取り付け機構を小型で軽量且つ簡素なものとした。
【０００６】
本発明により、小型で軽量且つ簡素な取り付け機構とすることができる。
【０００７】
【発明の実施の形態】
図２は、本発明の人体検知付き自動照明の模式図である。コンセント部分近傍でＡＣアダプターにより絶縁された電源は、本体まで電線により供給される。そのため、使用される電線は細いものでよいため、自由度が大きく調整機能付き本体取り付け機構が小型で軽量且つ簡素なものでも問題なく固定できる。
【０００８】
【実施例】
（実施例１）図１は、本発明を使用した人体が発する赤外線を検知することにより人体を検知し照明を点灯させる自動照明装置の取り付け機構部分を示す。ＡＣアダプターを内臓していないため本体も小型で軽量にできており、樹脂などで作成したボールジョイントにより調整のための簡素な稼動機構とすることができ、また取り付け部分も小型で軽量とすることができた。
【０００９】
【発明の効果】
以上のように、本発明により本体に電源を供給する電線を細いものを使用し、小型で軽量且つ簡素な取り付け機構とした人体検知機能付き自動照明装置ができる。
【図面の簡単な説明】
【図１】本発明により小型で軽量且つ簡素となった人体検知機能付き自動照明の取り付け機構。
【図２】本発明の人体検知付き自動照明の模式図。
【図１】
2004265688.tif 000003
【図２】
2004265688.tif 000004